(57)【要約】【課題】  複数の空間の空気質を良好な状態に維持しつつ、複数の空間が過度に空調されるのを防ぐ。【解決手段】  空気循環システム及び空気循環方法である。空気循環システムは、複数の空間３の空気質を検出する空気質検出手段１１と、複数の空間３との間で空気の循環を行う空気循環手段１２と、検出された空気質に基づいて、空気循環手段１２を制御する制御手段１３とを含む。制御手段１３は、第１循環制御モードと、第２循環制御モードとを含む。第１循環制御モードは、全ての空間３の空気質が予め定められた基準を満足する場合に、空気調和機１６及びファン１５を予め定められた第１ルールで運転させるものである。第２循環制御モードは、少なくとも１つの空間３の空気質が基準を満足しない場合に、第１循環制御モード時に比して、空気調和機１６の空調作用を低下させ、かつ、ファン１５による空気の循環量を増加させる。【選択図】図１
2020051673.tif 000002
【特許請求の範囲】
【請求項１】
空気循環システムであって、
複数の空間の空気質を検出する空気質検出手段と、
前記複数の空間との間で空気の循環を行う空気循環手段と、
検出された前記空気質に基づいて、前記空気循環手段を制御する制御手段とを含み、
前記空気循環手段は、前記空気を循環させるためのファンと、前記複数の空間に空調された空気を供給するための空気調和機とを含み、
前記制御手段は、第１循環制御モードと、第２循環制御モードとを含み、
前記第１循環制御モードは、全ての前記空間の前記空気質が予め定められた基準を満足する場合に、前記空気調和機及び前記ファンを予め定められた第１ルールで運転させるものであり、
前記第２循環制御モードは、少なくとも１つの前記空間の前記空気質が前記基準を満足しない場合に、前記第１循環制御モード時に比して、前記空気調和機の空調作用を低下させ、かつ、前記ファンによる前記空気の循環量を増加させる、
空気循環システム。
【請求項２】
前記空気調和機は、前記複数の空間を循環した後の空気の温度と、前記空気調和機に設定されている空調温度との温度差が小さいほど、前記空調作用を低下させるものであり、
前記第２循環制御モードは、前記第１循環制御モード時に比して、前記温度差を小さくする、請求項１記載の空気循環システム。
【請求項３】
前記第２循環制御モードは、前記複数の空間ごとに設定された空調の目標温度の平均値を、前記空調温度に設定することにより、前記第１循環制御モード時に比して、前記温度差を小さくする、請求項２記載の空気循環システム。
【請求項４】
空気循環方法であって、
ファンと空気調和機とを含む空気循環手段を用いて、複数の空間との間で空気を循環させる循環制御ステップを含み、
前記循環制御ステップは、検出ステップと、第１循環制御ステップと、第２循環制御ステップとを含み、
前記検出ステップは、前記複数の空間の空気質を検出し、
前記第１循環制御ステップは、全ての前記空間の前記空気質が予め定められた基準を満足する場合に、前記空気調和機及び前記ファンを予め定められた第１ルールで運転させ、
前記第２循環制御ステップは、少なくとも１つの前記空間の前記空気質が前記基準を満足しない場合に、前記第１循環制御ステップ時に比して、前記空気調和機の空調作用を低下させ、かつ、前記ファンによる前記空気の循環量を増加させる、
空気循環方法。
【請求項５】
前記空気調和機は、前記複数の空間を循環した後の空気の温度と、前記空気調和機に設定されている空調温度との温度差が小さいほど、前記空調作用を低下させるものであり、
前記第２循環制御ステップは、前記第１循環制御ステップ時に比して、前記温度差を小さくする、請求項４記載の空気循環方法。
【請求項６】
前記第２循環制御ステップは、前記複数の空間ごとに設定された空調の目標温度の平均値を、前記空調温度に設定することにより、前記第１循環制御ステップ時に比して、前記温度差を小さくする、請求項５記載の空気循環方法。
【発明の詳細な説明】
【技術分野】
【０００１】
本発明は、建物などに設けられた複数の空間の空気を循環させるためのシステム及び方法に関する。
【背景技術】
【０００２】
下記特許文献１は、建物の換気空調システムを提案している。この換気空調システムは、建物の居室の空気を循環させるファンと、空調された空気を居室に供給するための空気調和機とを具えており、居室を換気しながら空調することができる。
【先行技術文献】
【特許文献】
【０００３】
【特許文献１】特開２０１７−０８３０９７号公報
【発明の概要】
【発明が解決しようとする課題】
【０００４】
ところで、居室の空気質が劣化（例えば、ＣＯ2濃度、花粉、埃、及び粉塵等が増加）した場合、その劣化した空気を居室から迅速に排出することが重要である。上記特許文献１の換気空調システムにおいて、劣化した空気を居室から排出するために、空気の循環量を大きくすると、空気調和機での熱交換が促進される結果、居室が必要以上に空調（冷房又は暖房）されてしまうという問題があった。
【０００５】
本発明は、以上のような実状に鑑み案出されたもので、複数の空間の空気質を良好な状態に維持しつつ、複数の空間が過度に空調されるのを防ぐことができる空気循環システム及び空気循環方法を提供することを主たる目的としている。
【課題を解決するための手段】
【０００６】
本発明は、空気循環システムであって、複数の空間の空気質を検出する空気質検出手段と、前記複数の空間との間で空気の循環を行う空気循環手段と、検出された前記空気質に基づいて、前記空気循環手段を制御する制御手段とを含み、前記空気循環手段は、前記空気を循環させるためのファンと、前記複数の空間に空調された空気を供給するための空気調和機とを含み、前記制御手段は、第１循環制御モードと、第２循環制御モードとを含み、前記第１循環制御モードは、全ての前記空間の前記空気質が予め定められた基準を満足する場合に、前記空気調和機及び前記ファンを予め定められた第１ルールで運転させるものであり、前記第２循環制御モードは、少なくとも１つの前記空間の前記空気質が前記基準を満足しない場合に、前記第１循環制御モード時に比して、前記空気調和機の空調作用を低下させ、かつ、前記ファンによる前記空気の循環量を増加させることを特徴とする。
【０００７】
本発明に係る前記空気循環システムにおいて、前記空気調和機は、前記複数の空間を循環した後の空気の温度と、前記空気調和機に設定されている空調温度との温度差が小さいほど、前記空調作用を低下させるものであり、前記第２循環制御モードは、前記第１循環制御モード時に比して、前記温度差を小さくしてもよい。
【０００８】
本発明に係る前記空気循環システムにおいて、前記第２循環制御モードは、前記複数の空間ごとに設定された空調の目標温度の平均値を、前記空調温度に設定することにより、前記第１循環制御モード時に比して、前記温度差を小さくしてもよい。
【０００９】
本発明は、空気循環方法であって、ファンと空気調和機とを含む空気循環手段を用いて、複数の空間との間で空気を循環させる循環制御ステップを含み、前記循環制御ステップは、検出ステップと、第１循環制御ステップと、第２循環制御ステップとを含み、前記検出ステップは、前記複数の空間の空気質を検出し、前記第１循環制御ステップは、全ての前記空間の前記空気質が予め定められた基準を満足する場合に、前記空気調和機及び前記ファンを予め定められた第１ルールで運転させ、前記第２循環制御ステップは、少なくとも１つの前記空間の前記空気質が前記基準を満足しない場合に、前記第１循環制御ステップ時に比して、前記空気調和機の空調作用を低下させ、かつ、前記ファンによる前記空気の循環量を増加させることを特徴とする。
【００１０】
本発明に係る前記空気循環方法において、前記空気調和機は、前記複数の空間を循環した後の空気の温度と、前記空気調和機に設定されている空調温度との温度差が小さいほど、前記空調作用を低下させるものであり、前記第２循環制御ステップは、前記第１循環制御ステップ時に比して、前記温度差を小さくしてもよい。
【００１１】
本発明に係る前記空気循環方法において、前記第２循環制御ステップは、前記複数の空間ごとに設定された空調の目標温度の平均値を、前記空調温度に設定することにより、前記第１循環制御ステップ時に比して、前記温度差を小さくしてもよい。
【発明の効果】
【００１２】
本発明の空気循環システムは、複数の空間で検出された空気質に基づいて、空気循環手段を制御する制御手段を含んでいる。前記制御手段は、第１循環制御モードと、第２循環制御モードとを含んでいる。
【００１３】
前記第１循環制御モードは、全ての前記空間の前記空気質が予め定められた基準を満足する場合に、空気調和機及びファンを予め定められた第１ルールで運転させるものである。これにより、各空間の空調を第１ルールに従って制御することができる。
【００１４】
一方、前記第２循環制御モードは、少なくとも１つの前記空間の前記空気質が前記基準を満足しない場合に、前記第１循環制御モード時に比して、前記空気調和機の空調作用を低下させ、かつ、前記ファンによる前記空気の循環量を増加させる。前記第２循環制御モードでは、前記第２循環制御モードの前記空気の循環量を増加させることができるため、劣化した前記空間の空気を、他の空間に効率よく分散させて、特定の空間の空気質の劣化を、早期に良好な状態に戻すことができる。
【００１５】
また、前記第２循環制御モードでは、前記空気調和機の空調作用を低下させるため、前記空気の循環量が増加しても、前記空気調和機による過度の熱交換を抑制し、前記複数の空間が過度に空調されるのを防止しうる。
【図面の簡単な説明】
【００１６】
【図１】空気循環システムの一例を概念的に示した断面図である。
【図２】換気空調ユニットの一例を示す断面図である。
【図３】制御手段の構成の一例を示す概念図である。
【図４】記憶部の一例を示す概念図である。
【図５】空気循環方法の処理手順の一例を示すフローチャートである。
【図６】循環制御ステップの処理手順の一例を示すフローチャートである。
【図７】第１循環制御ステップの処理手順の一例を示すフローチャートである。
【図８】第２循環制御ステップの処理手順の一例を示すフローチャートである。
【図９】実施例のＣＯ2濃度と時間との関係を示すグラフである。
【発明を実施するための形態】
【００１７】
以下、本発明の実施の一形態が図面に基づき説明される。なお、各図面は、発明の内容の理解を高めるためのものであり、誇張された表示が含まれる他、各図面間において、縮尺等は厳密に一致していない点が予め指摘される。
【００１８】
図１は、空気循環システム１の一例を概念的に示した断面図である。本実施形態の空気循環システム１は、複数の空間３の空気を循環させるためのものである。本実施形態の複数の空間３は、例えば、住宅やビル等の建物２に設けられているが、このような態様に限定されない。空気循環システム１による空調効果を高めるために、建物２は、優れた断熱性能、遮光（遮熱）性能、及び、気密性能を有しているのが望ましい。
【００１９】
本実施形態の空間３は、床下空間４と、床上空間５とを含んで構成されている。
【００２０】
床下空間４は、基礎６と地面７と１階の床８とで囲まれた空間である。基礎６には、外気Ａ３を取り入れるための開口部９が設けられている。開口部９から取り入れられた外気Ａ３は、地面７を介して、１年を通じて温度変化の少ない地中の熱と熱交換される。これにより、床下空間４は、外気に比べて、夏期は比較的涼しく、冬期は比較的暖かい空気（以下、単に「床下空気」ということがある。）Ａ３を蓄えることができる。
【００２１】
床上空間５は、床下空間４の上方に設けられた空間である。本実施形態の床上空間５は、複数の居室１０と、洗面室やトイレ等の非居室（図示省略）とを含んで構成される。居室１０は、１階の居室１０ａ、１０ｂと、２階の居室１０ｃ、１０ｄとを含んでいる。床上空間５には、例えば、床上空間５の空気の少なくとも一部を、屋外に強制的に排出する排気用ファン（図示省略）が設けられてもよい。
【００２２】
本実施形態の空気循環システム１は、前記空間３のうち、居室１０（１階の居室１０ａ、１０ｂ及び２階の居室１０ｃ、１０ｄ）の空気を循環させている。なお、空気循環システム１は、任意の空間３の空気を循環させてもよい。
【００２３】
本実施形態の空気循環システム１は、空気質検出手段１１と、空気循環手段１２と、制御手段１３とを含んで構成されている。
【００２４】
空気質検出手段１１は、複数の空間３の空気質を検出するためのものである。本実施形態の空気質検出手段１１は、空気を循環させる各居室１０（１階の居室１０ａ、１０ｂ及び２階の居室１０ｃ、１０ｄ）にそれぞれ設けられており、第１空気質検出手段１１ａ、第２空気質検出手段１１ｂ、第３空気質検出手段１１ｃ、及び、第４空気質検出手段１１ｄを含んで構成されている。なお、空気質検出手段１１は、任意の空間３に限定して設けられてもよい。
【００２５】
空気質検出手段１１には、例えば、ＣＯ2濃度、湿度、及び、粉塵量（例えば、花粉、ＰＭ２．５及び埃などの量）を検出可能な既知の空気質センサーを採用することができる。本実施形態の空気質検出手段１１は、ＣＯ2濃度が検出可能な空気質センサーが採用されている。
【００２６】
空気循環手段１２は、複数の空間３（１階の居室１０ａ、１０ｂ及び２階の居室１０ｃ、１０ｄ）との間で空気の循環を行うためのものである。本実施形態の空気循環手段１２は、空気を循環させるためのファン１５と、複数の空間３に空調された空気（以下、単に「空調空気」ということがある。）Ａ１を供給するための空気調和機１６とを含んで構成されている。本実施形態において、ファン１５及び空気調和機１６（室内機１６Ａ）は、換気空調ユニット１７の内部に収容されている。
【００２７】
換気空調ユニット１７は、床８の上に設置可能に構成されたユニット本体１８を含んで構成されている。本実施形態のユニット本体１８は、２階の床８の上に設置されているが、このような態様に限定されない。ユニット本体１８は、例えば、１階の床８の上に設置されても良いし、２階よりも上階の床８の上に設置されても良い。
【００２８】
図２は、換気空調ユニット１７の一例を示す断面図である。本実施形態のユニット本体１８は、その内部に複数のスペース（空間）１９を有する箱状に形成されている。スペース１９は、第１スペース１９ａ、第２スペース１９ｂ、第３スペース１９ｃ、及び、第４スペース１９ｄを含んで構成されている。さらに、ユニット本体１８は、チャンバー２０を含んで構成されている。これらの第１スペース１９ａ〜第４スペース１９ｄ、及び、チャンバー２０は、例えば、枠材、及び、枠材に支持される面材等によって区分されている。
【００２９】
第１スペース１９ａは、箱状に形成されており、第２スペース１９ｂの上側に区分されている。本実施形態の第１スペース１９ａには、空気調和機１６（室内機１６Ａ）が収容されている。
【００３０】
空気調和機１６は、例えば、一般的な家庭用のセパレート型エアコンである。空気調和機１６は、室内機１６Ａと、建物２の外部に設置された室外機（図示省略）とをセットとして含んでいる。室内機１６Ａは、吸込口１６ａと吹出口１６ｂとを有している。吸込口１６ａは、室内機１６Ａの内部の熱交換器（図示省略）に空気を取り込むためのものである。吹出口１６ｂは、熱交換器で空調された空調空気Ａ１を吐出するためのものである。
【００３１】
本実施形態の空気調和機１６としては、空調作用を制御可能なもの（例えば、インバータ制御方式）が採用されている。このような空気調和機１６は、吸込口１６ａから取り込まれる空気の温度と、空気調和機１６に設定されている空調温度との温度差（絶対値）が小さいほど、空調作用を低下させることができる。なお、吸込口１６ａから取り込まれる空気の温度としては、複数の空間３を循環した後の空気Ａ２の温度であってもよいし、循環後の空気Ａ２と床下空気（外気）Ａ３との混合気の温度であってもよい。温度の測定は、空気調和機１６の温度センサーであってもよいし、吸込口１６ａ付近に取り付けられた温度センサー等であってもよい。一方、空気調和機１６は、前記温度差が大きいほど、空調作用を高めることができる。したがって、空気調和機１６は、吸込口１６ａから取り込まれる空気の温度に応じて、送風量を調整するだけで空調作用を柔軟に調節することができるため、効率よく空調することができる。
【００３２】
第１スペース１９ａの上側を区分する上面材には、給気口２１と、外気取込口２２とが設けられている。給気口２１及び外気取込口２２は、室内機１６Ａの吸込口１６ａ側（本実施形態では、吸込口１６ａの上方）に設けられている。
【００３３】
給気口２１は、第１スペース１９ａと、居室１０との間を連通している。このような給気口２１は、複数の空間３を循環した空気Ａ２を、室内機１６Ａの吸込口１６ａに供給することができる。
【００３４】
外気取込口２２には、第１スペース１９ａと、床下空間４（図１に示す）とを連通させるためのダクト２３が接続されている。ダクト２３は、その床下空間４側の端部に、床下空気（外気）Ａ３を、外気取込口２２側に送るための外気供給ファン２４（図１に示す）が接続されている。この外気供給ファン２４の運転により、外気取込口２２は、床下空気（外気）Ａ３を、室内機１６Ａの吸込口１６ａに供給することができる。外気供給ファン２４の風量については、例えば、建物２に必要な換気回数に基づいて設定される。
【００３５】
本実施形態の第１スペース１９ａは、第２スペース１９ｂと連通している。これにより、第１スペース１９ａは、吹出口１６ｂから吐出された空調空気Ａ１を、第２スペース１９ｂに供給することができる。
【００３６】
第２スペース１９ｂは、箱状に形成されており、第３スペース１９ｃの上側に区分されている。第２スペース１９ｂには、フィルター２６が収容されている。フィルター２６は、第１スペース１９ａから供給される空調空気Ａ１を浄化するためのものである。フィルター２６としては、適宜選択されうる。フィルター２６は、例えば、ＨＥＰＡ（Ｈｉｇｈ  Ｅｆｆｉｃｉｅｎｃｙ  Ｐａｒｔｉｃｕｌａｔｅ  Ａｉｒ）フィルター、光触媒フィルター、活性炭脱臭フィルター、又は、電気集塵フィルター等が単独、又は、組み合わせて配置されるのが望ましい。
【００３７】
本実施形態の第２スペース１９ｂは、第３スペース１９ｃと連通している。これにより、第２スペース１９ｂは、フィルター２６で浄化された空調空気Ａ１を、第３スペース１９ｃに供給することができる。
【００３８】
第３スペース１９ｃは、箱状に形成されており、チャンバー２０の上側、かつ、第４スペース１９ｄの前側に区分されている。本実施形態の第３スペース１９ｃは、第４スペース１９ｄと連通している。これにより、第３スペース１９ｃは、フィルター２６で浄化された空調空気Ａ１を、第４スペース１９ｄに供給することができる。
【００３９】
第４スペース１９ｄは、箱状に形成されており、第１スペース１９ａ、第２スペース１９ｂ及び第３スペース１９ｃの後側、かつ、チャンバー２０の上側に区分されている。本実施形態の第４スペース１９ｄは、チャンバー２０と連通している。第４スペース１９ｄには、ファン１５が収容されている。
【００４０】
図１及び図２に示されるように、本実施形態のファン１５は、第１ファン１５ａ、及び、第２ファン１５ｂを含んで構成されている。第１ファン１５ａ及び第２ファン１５ｂとしては、シロッコファンを採用することができるが、このような態様に限定されない。また、第１ファン１５ａ及び第２ファン１５ｂは、同一の筐体１４に格納されているが、このような態様に限定されない。
【００４１】
第１ファン１５ａは、第４スペース１９ｄに供給された空調空気Ａ１を、空間３（本例では、１階の居室１０ａ、１０ｂ（図１に示す））に供給するためのものである。本実施形態の第１ファン１５ａは、第４スペース１９ｄに供給された空調空気Ａ１を、チャンバー２０、及び、第１ダクト３１ａ、３１ｂを介して、１階の居室１０ａ、１０ｂに供給している。
【００４２】
チャンバー２０は、箱状に形成されており、第３スペース１９ｃ及び第４スペース１９ｄの下側に区分されている。本実施形態の第１ダクト３１ａ、３１ｂの本数は、空調空気Ａ１を供給する空間３（本例では、１階の居室１０ａ、１０ｂ（図１に示す））の数と同一に設定されている。第１ダクト３１ａ、３１ｂの一端は、チャンバー２０に接続されている。一方、第１ダクト３１ａ、３１ｂの他端は、１階の居室１０ａ、１０ｂにそれぞれ接続されている。これにより、第１ダクト３１ａ、３１ｂは、チャンバー２０と、１階の居室１０ａ、１０ｂとの間を連通させることができる。このようなチャンバー２０及び第１ダクト３１ａ、３１ｂにより、第１ファン１５ａは、第４スペース１９ｄに供給された空調空気Ａ１を、１階の居室１０ａ、１０ｂにそれぞれ供給することができる。
【００４３】
図１に示されるように、本実施形態の第１ダクト３１ａ、３１ｂの他端側（本例では、１階の居室１０ａ、１０ｂ側の端部）には、第１ダクト３１ａ、３１ｂに供給された空調空気Ａ１の風量を調節可能なダンパー３５（本例では、第１ダンパー３５ａ及び第２ダンパー３５ｂ）がそれぞれ設けられている。ダンパー３５は、その開度（開口面積）が大きくなるほど、空調空気Ａ１の供給量を大きくすることができる。本実施形態では、複数段階で開度を調整可能なダンパー３５が採用される。
【００４４】
図１及び図２に示されるように、第２ファン１５ｂは、第４スペース１９ｄに供給された空調空気Ａ１を、空間３（本例では、２階の居室１０ｃ、１０ｄ）に供給するためのものである。本実施形態の第２ファン１５ｂは、第４スペース１９ｄに供給された空調空気Ａ１を、第２ダクト３２、分岐部３６、及び、第３ダクト３３ａ、３３ｂを介して、２階の居室１０ｃ、１０ｄに供給している。
【００４５】
分岐部３６は、複数の空間３（本例では、２階の居室１０ｃ、１０ｄ）に、第２ファン１５ｂから供給された空調空気Ａ１を分岐させて供給するためのチャンバーである。第２ダクト３２の一端は、第２ファン１５ｂに接続されている。一方、第２ダクト３２の他端は、分岐部３６に接続されている。これにより、第２ダクト３２は、第２ファン１５ｂと、分岐部３６との間を連通させることができる。
【００４６】
本実施形態の第３ダクト３３ａ、３３ｂの本数は、空調空気Ａ１を供給する空間３（本例では、２階の居室１０ｃ、１０ｄ）の個数と同一に設定されている。第３ダクト３３ａ、３３ｂの一端は、分岐部３６に接続されている。一方、第３ダクト３３ａ、３３ｂの他端は、２階の居室１０ｃ、１０ｄにそれぞれ接続されている。これにより、第３ダクト３３ａ、３３ｂは、分岐部３６と、２階の居室１０ｃ、１０ｄとの間を連通させることができる。このような分岐部３６、第２ダクト３２及び第３ダクト３３ａ、３３ｂにより、第２ファン１５ｂは、第４スペース１９ｄ（図２に示す）に供給された空調空気Ａ１を、２階の居室１０ｃ、１０ｄにそれぞれ供給することができる。
【００４７】
本実施形態の第３ダクト３３ａ、３３ｂの他端側（本例では、２階の居室１０ｃ、１０ｄ側の端部）には、第３ダクト３３ａ、３３ｂに供給された空調空気Ａ１の風量を調節可能なダンパー３５（本例では、第３ダンパー３５ｃ及び第４ダンパー３５ｄ）が設けられている。ダンパー３５は、その開度（開口面積）が大きくなるほど、空調空気Ａ１の供給量を大きくすることができる。本実施形態では、複数段階で開度を調整可能なダンパー３５が採用される。
【００４８】
図１及び図２に示されるように、上述の構成を有する空気循環手段１２は、ファン１５（本例では、第１ファン１５ａ及び第２ファン１５ｂ）の運転により、第１スペース１９ａ、第２スペース１９ｂ及び第３スペース１９ｃを負圧にすることで、複数の空間３（本例では、１階の居室１０ａ、１０ｂ及び２階の居室１０ｃ、１０ｄ）を循環した空気Ａ２を、給気口２１を介して第１スペース１９ａに案内することができる。空気調和機１６は、複数の空間３を循環した空気Ａ２及び床下空気（外気）Ａ３を空調することができる。さらに、ファン１５（第１ファン１５ａ及び第２ファン１５ｂ）は、空調空気Ａ１をフィルター２６で浄化させ、浄化された空調空気Ａ１を、複数の空間３（本例では、１階の居室１０ａ、１０ｂ及び２階の居室１０ｃ、１０ｄ）に供給することができる。これにより、空気循環手段１２は、複数の空間３との間で空気（空調空気Ａ１）の循環を行うことができる。さらに、本実施形態では、床下空気（外気）Ａ３を空調した空調空気Ａ１が空間３に供給されるとともに、空間３の空気の一部が排気用ファン（図示省略）で排気されるため、空間３を換気することができる。
【００４９】
次に、制御手段１３（図１に示す）は、検出された空気質に基づいて、空気循環手段１２を制御するためのものである。制御手段１３は、例えば、間仕切り壁等に設置されている。本実施形態の制御手段１３では、後述の第１循環制御モードと、第２循環制御モードとが実行される。図３は、制御手段１３の構成の一例を示す概念図である。
【００５０】
制御手段１３は、ＣＰＵ（中央演算装置）からなる演算部４１と、処理手順が記憶されている記憶部４２と、記憶部４２から処理手順等を読み込む作業用メモリ４３とを含んで構成されている。
【００５１】
演算部４１には、入力手段４５が接続されている。入力手段４５は、例えば、制御手段１３の筐体に設けられた操作ボタンやタッチパネル等によって構成されている。この入力手段４５は、例えば、居住者によって入力された情報を、演算部４１に伝達することができる。入力手段４５から入力される情報としては、例えば、空気循環システム１の運転開始及び終了や、各空間３（本例では、１階の居室１０ａ、１０ｂ及び２階の居室１０ｃ、１０ｄ）に設定される空調の目標温度が含まれる。入力手段４５から入力される情報は、必要に応じて適宜設定することができる。
【００５２】
演算部４１には、出力手段４６が接続されている。出力手段４６は、制御手段１３の筐体に設けられたディスプレイとして構成されている。演算部４１は、出力手段４６に信号を伝達することにより、空気循環システム１の運転状況等を表示させることができる。
【００５３】
演算部４１には、図１に示した空気質検出手段１１（第１空気質検出手段１１ａ〜第４空気質検出手段１１ｄ）が接続されている。これにより、演算部４１は、空気質検出手段１１（第１空気質検出手段１１ａ〜第４空気質検出手段１１ｄ）に信号を伝達することにより、空気質検出手段１１に複数の空間３（本例では、１階の居室１０ａ、１０ｂ及び２階の居室１０ｃ、１０ｄ）の空気質を検出させ、かつ、その検出結果を演算部４１に伝達させることができる。
【００５４】
演算部４１には、図１に示した空気調和機１６が接続されている。これにより、演算部４１は、空気調和機１６に信号を伝達することにより、運転の開始及び停止を指示することができる。さらに、演算部４１は、空気調和機１６の空調温度を設定することで、空気調和機１６の空調作用を制御することができる。
【００５５】
演算部４１には、図１に示したファン１５（本例では、第１ファン１５ａ及び第２ファン１５ｂ）が接続されている。これにより、演算部４１は、第１ファン１５ａ及び第２ファン１５ｂに信号を伝達することにより、第１ファン１５ａの風量、及び、第２ファン１５ｂの風量を制御することができる。
【００５６】
演算部４１には、図１に示したダンパー３５（本例では、第１ダンパー３５ａ〜第４ダンパー３５ｄ）が接続されている。これにより、演算部４１は、第１ダンパー３５ａ〜第４ダンパー３５ｄに信号を伝達することにより、第１ダンパー３５ａ〜第４ダンパー３５ｄの開度を制御することができる。
【００５７】
図４は、記憶部４２の一例を示す概念図である。記憶部４２は、例えば、不揮発性の情報記憶装置である。記憶部４２には、演算部４１（図３に示す）によって実行されるプログラム部４７が含まれる。プログラム部４７は、作業用メモリ４３（図３に示す）に読み込まれて、演算部４１（図３に示す）によって実行されるプログラムである。
【００５８】
本実施形態のプログラム部４７は、第１循環制御モード４７ａ、及び、第２循環制御モード４７ｂを含んでいる。さらに、本実施形態のプログラム部４７は、空気質評価モード４７ｃ、及び、停止判定モード４７ｄを含んでいる。
【００５９】
先ず、空気質評価モード４７ｃについて説明する。空気質評価モード４７ｃは、図１に示した空気質検出手段１１（第１空気質検出手段１１ａ〜第４空気質検出手段１１ｄ）に、空間３（本例では、１階の居室１０ａ、１０ｂ及び２階の居室１０ｃ、１０ｄ）の空気質を検出させ、その検出結果に基づいて、全ての空間３の空気質を評価するためのものである。本実施形態の空気質評価モード４７ｃは、全ての空間３の空気質が予め定められた基準（以下、単に「第１基準」ということがある。）を満足するか否かを判断している。
【００６０】
第１基準としては、検出される空気質の対象物質（例えば、ＣＯ2や粉塵等）に応じて、適宜設定される。本実施形態のように、各空間３（本例では、１階の居室１０ａ、１０ｂ及び２階の居室１０ｃ、１０ｄ）のＣＯ2濃度が検出される場合、ＣＯ2濃度の第１基準（閾値）は、例えば、７００〜１０００ppmの範囲（本例では、９００ppm）で設定される。本実施形態において、第１基準を満足するとは、ＣＯ2濃度が閾値以下であることを意味している。なお、ＣＯ2濃度の第１基準（閾値）は、このような範囲に限定されるわけではなく、求められる空気質のレベルに応じて、適宜設定することができる。
【００６１】
本実施形態の演算部４１は、空気質評価モード４７ｃ時において、全ての空間３（本例では、１階の居室１０ａ、１０ｂ及び２階の居室１０ｃ、１０ｄ）の空気質が、第１基準を満足する（本例では、ＣＯ2濃度が閾値以下である）と判断した場合、第１循環制御モード４７ａを実行する。一方、演算部４１は、空気質評価モード４７ｃ時において、少なくとも１つの空間３の空気質が第１基準を満足しない（本例では、ＣＯ2濃度が閾値よりも大きい）と判断した場合、第２循環制御モード４７ｂ（図４に示す）を実行する。
【００６２】
次に、第１循環制御モード４７ａについて説明する。第１循環制御モード４７ａは、図１及び図２に示した空気調和機１６、及び、ファン１５（本例では、第１ファン１５ａ及び第２ファン１５ｂ）を、予め定められた第１ルールで運転させるためのものである。上述したように、本実施形態の第１循環制御モード４７ａは、全ての空間３（本例では、１階の居室１０ａ、１０ｂ及び２階の居室１０ｃ、１０ｄ）の空気質が第１基準を満足する場合に、演算部４１によって実行される。
【００６３】
本実施形態の第１ルールでは、空気調和機１６の空調作用、及び、ファン１５（本例では、第１ファン１５ａ及び第２ファン１５ｂ）による空気の循環量が設定される。
【００６４】
第１ルールの空調作用については、適宜設定することができる。本実施形態の空気循環手段１２は、一つの空気調和機１６で、複数の空間３（本例では、１階の居室１０ａ、１０ｂ及び２階の居室１０ｃ、１０ｄ）を空調しているため、各空間３に供給される空調空気Ａ１の温度は略同一である。このため、暖房時の空調の目標温度が高く設定された空間（冷房時の空調の目標温度が低く設定された空間）３を効率よく空調するためには、空気調和機１６の空調作用を高くする必要がある。このような観点より、本実施形態の第１ルールでは、空気調和機１６の空調作用を高くしている。
【００６５】
上述したように、空気調和機１６は、図２に示した複数の空間３を循環した後の空気Ａ２の温度と、空調温度との温度差（絶対値）が小さいほど、空調作用を低下させることが可能なインバータ制御方式が採用されている。このため、第１ルールの空調作用を高くするには、温度差を大きくする必要がある。
【００６６】
本実施形態の第１ルールでは、空気調和機１６の暖房時の空調温度として、各空間３（本例では、１階の居室１０ａ、１０ｂ及び２階の居室１０ｃ、１０ｄ）に設定された空調の目標温度で最も高い目標温度（以下、単に「最高目標温度」ということがある。）を特定し、その最高目標温度に、予め定められた調整温度（例えば、３〜５℃）を加算した値が設定される。一方、空気調和機１６の冷房時の空調温度としては、各空間３に設定された空調の目標温度で最も低い目標温度（以下、単に「最低目標温度」ということがある。）を特定し、その最低目標温度に調整温度を減じた値が設定される。これにより、第１ルールでは、前記温度差を大きくできるため、空気調和機１６の空調作用を高くすることができる。
【００６７】
次に、第１ルールの循環量は、図１及び図２に示したファン１５の風量（本例では、第１ファン１５ａ及び第２ファン１５ｂの合計風量）によって特定される。第１ルールの循環量については、適宜設定することができる。図２に示した複数の空間３を循環した後の空気Ａ２の温度と、空調温度との温度差（絶対値）が大きいほど、ファン１５の風量を大きくして、各空間３（本例では、１階の居室１０ａ、１０ｂ及び２階の居室１０ｃ、１０ｄ）を空調する必要がある。このため、本実施形態の第１ルールでは、前記温度差が大きいほどファン１５の風量を大きく設定し、また、前記温度差が小さいほど、ファン１５の風量を小さく設定している。第１ルールの循環量（ファン１５の風量）の範囲については、適宜設定される。本実施形態の第１ルールの循環量（ファン１５の風量）の範囲は、例えば、３００〜１４２０m3／ｈに設定されている。なお、第１ルールの循環量（ファン１５の風量）の範囲は、空間３の大きさ、空間３の個数、及び、空気調和機１６の空調作用の大きさに基づいて、適宜変更することができる。
【００６８】
さらに、本実施形態の第１ルールでは、図１に示したダンパー（本例では、第１ダンパー３５ａ〜第４ダンパー３５ｄ）の開度が設定される。
【００６９】
第１ルールのダンパー３５の開度は、第１ダンパー３５ａ〜第４ダンパー３５ｄにそれぞれ設定される。第１ルールのダンパー３５の開度については、適宜設定することができる。上述したように、各空間３（本例では、１階の居室１０ａ、１０ｂ及び２階の居室１０ｃ、１０ｄ）に供給される空調空気Ａ１の温度が略同一である。このため、本実施形態の第１ルールでは、各空間３に設定された空調の目標温度に基づいて、各ダンパー３５の開度をそれぞれ設定している。
【００７０】
本実施形態の第１ルールでは、暖房時に空調の目標温度が高く設定された空間（冷房時に空調の目標温度が低く設定された空間）３のダンパー３５の開度を大きくしている。一方、本実施形態の第１ルールでは、暖房時に空調の目標温度が低く設定された空間（冷房時に空調の目標温度が高く設定されたい空間）３のダンパー３５の開度を小さくしている。これにより、第１ルールでは、各空間３に設定された空調の目標温度に基づいて、ダンパー３５の開度を個別に調節することができる。従って、第１ルールでは、略同一の温度の空調空気Ａ１を用いながら、各空間３に設定された空調の目標温度に基づいて、各空間３を個別に空調することができる。
【００７１】
このように、第１循環制御モード４７ａでは、各空間３（本例では、１階の居室１０ａ、１０ｂ及び２階の居室１０ｃ、１０ｄ）の空調を、第１ルールに従って制御することができる。さらに、本実施形態の第１循環制御モード４７ａでは、第１ルールに基づいて、ダンパー３５（本例では、第１ダンパー３５ａ〜第４ダンパー３５ｄ）の開度が制御されるため、各空間３に設定された空調の目標温度に基づいて、各空間３を個別に空調することができる。
【００７２】
次に、第２循環制御モード４７ｂについて説明する。第２循環制御モード４７ｂは、図１及び図２に示した空気調和機１６及びファン１５（本例では、第１ファン１５ａ及び第２ファン１５ｂ）を、予め定められた第２ルールで運転させるためのものである。上述したように、本実施形態の第２循環制御モード４７ｂは、少なくとも１つの空間３の空気質が第１基準を満足しない場合に実行される。
【００７３】
第２ルールでは、第１循環制御モード時に比して、空気調和機１６の空調作用を低下させ、かつ、ファン１５（本例では、第１ファン１５ａ及び第２ファン１５ｂ）による空気の循環量を増加させている。
【００７４】
第２ルールの空調作用については、適宜設定することができる。上述したように、本実施形態の空気調和機１６は、図２に示した複数の空間３を循環した後の空気Ａ２の温度と、空調温度との温度差（絶対値）が小さいほど、空調作用を低下させることが可能なインバータ制御方式が採用されている。このため、本実施形態では、第２循環制御モード時の温度差を、第１循環制御モード時の温度差に比して小さくすることで、第１循環制御モード時に比して、空気調和機１６の空調作用を低下させることができる。
【００７５】
上述したように、本実施形態において、第１ルールの暖房時の空調温度には、各空間３（本例では、１階の居室１０ａ、１０ｂ及び２階の居室１０ｃ、１０ｄ）の最高目標温度に、調整温度（例えば、３〜５℃）を加算した値を設定し、第１ルールの冷房時の空調温度には、各空間３の最低目標温度に、調整温度を減じた値を設定している。一方、本実施形態の第２ルールの空調温度（暖房時及び冷房時）には、複数の空間３ごとに設定された空調の目標温度の平均値を設定している。このような第２ルールの空調温度は、第１ルールの空調温度に比して、図２に示した複数の空間３を循環した後の空気Ａ２の温度との温度差を小さくすることができる。したがって、第２循環制御モード４７ｂでは、第１循環制御モード時に比して温度差を小さくすることができ、空気調和機１６の空調作用を低下させることができる。
【００７６】
次に、第２ルールの循環量は、ファン１５の風量（本例では、第１ファン１５ａ及び第２ファン１５ｂの合計風量）によって特定される。第２ルールの循環量については、第１循環制御モード時（第１ルール）の循環量に比して増加させることができれば、適宜設定することができる。本実施形態の第２ルールの循環量（ファン１５の風量）は、例えば、第１ルールの循環量（ファン１５の風量）の最大値（本例では、１４２０m3／ｈ）に設定されている。なお、第２ルールの循環量（ファン１５の風量）は、空間３の大きさ、空間３の個数、及び、空気調和機１６の空調作用の大きさに基づいて、適宜変更することができる。
【００７７】
このように、本実施形態の空気循環システム１は、第２循環制御モード時において、空気の循環量を増加させることができるため、劣化した空間３の空気と、他の空間３の空気とを混合させて、それらが混合した空気（即ち、劣化度合いが低下した空気）を、劣化した空間３に効率よく供給することができる。これにより、本実施形態の空気循環システム１は、特定の空間３の空気質の劣化を、早期に良好な状態に戻すことができる。さらに、第２循環制御モードでは、空気調和機１６の空調作用を低下させているため、空気の循環量が増加しても、空気調和機１６による過度の熱交換を抑制することができる。したがって、第２循環制御モードでは、複数の空間３（本例では、１階の居室１０ａ、１０ｂ及び２階の居室１０ｃ、１０ｄ）が過度に空調されるのを防ぐことができる。
【００７８】
本実施形態の第２循環制御モードでは、複数の空間３（本例では、１階の居室１０ａ、１０ｂ及び２階の居室１０ｃ、１０ｄ）ごとに設定された空調の目標温度の平均値を、空調温度として設定しているため、例えば、空調温度として、図２に示した空気調和機１６の吸込口１６ａから取り込まれる空気（複数の空間３を循環した後の空気Ａ２）と同一の温度に設定する場合に比べて、温度差が必要以上に小さく（例えば、温度差をゼロに）なるのを防ぐことができる。これにより、第２循環制御モードでは、複数の空間３の空調が不足するのを防ぐことができる。
【００７９】
特定の空間３の空気質の劣化を、より早期に良好な状態に戻すために、第２ルールでは、図１に示したダンパー（本例では、第１ダンパー３５ａ〜第４ダンパー３５ｄ）の開度を、第１循環制御モード時（第１ルール）の開度に比して、大きくするのが望ましい。これにより、第２循環制御モードでは、各空間３（本例では、１階の居室１０ａ、１０ｂ及び２階の居室１０ｃ、１０ｄ）の空調の目標温度に左右されることなく、各空間３の空気の循環量を増加させることができるため、特定の空間３の空気質の劣化を、早期に良好な状態に戻すことができる。
【００８０】
第２ルールのダンパー３５（本例では、第１ダンパー３５ａ〜第４ダンパー３５ｄ）の開度については、適宜設定することができる。本実施形態の第２ルールでは、第１ダンパー３５ａ〜第４ダンパー３５ｄの開度を全開にしている。これにより、第２ルールでは、各空間３の空気の循環量をより効果的に増加させることができる。
【００８１】
次に、停止判定モード４７ｄについて説明する。停止判定モード４７ｄは、図１に示した空気循環システム１を停止させるか否かを判断するためのものである。本実施形態の停止判定モード４７ｄでは、居住者による操作等によって、停止命令がなされたか否かが判断される。演算部４１は、停止判定モード４７ｄ時において、停止命令があると判断した場合、空気循環システム１を停止させる。一方、演算部４１は、停止判定モード４７ｄにおいて、停止命令がないと判断した場合、空気質評価モード４７ｃを実行する。これにより、空気循環システム１は、停止命令がなされるまで、複数の空間３（本例では、１階の居室１０ａ、１０ｂ及び２階の居室１０ｃ、１０ｄ）の空気質を良好な状態に維持しつつ、複数の空間３が過度に空調されるのを防ぐことができる。
【００８２】
次に、空気循環方法について説明する。本実施形態の空気循環方法では、図１及び図２に示した空気循環システム１が用いられる。なお、空気循環方法は、空気循環システム１を用いる態様に限定されるわけではなく、例えば、空気循環システム１の構成を変更したシステムが用いられてもよい。図５は、空気循環方法の処理手順の一例を示すフローチャートである。なお、空気循環方法において、空気循環システム１の構成については、同一の符号を付し、説明を省略することがある。
【００８３】
本実施形態の空気循環方法では、先ず、循環制御ステップＳ１が実施される。循環制御ステップＳ１では、ファン１５と空気調和機１６とを含む空気循環手段１２を用いて、複数の空間３（本例では、１階の居室１０ａ、１０ｂ及び２階の居室１０ｃ、１０ｄ）との間で空気が循環される。本実施形態の循環制御ステップＳ１では、予め定められた処理手順（本実施形態では、図４に示した空気質評価モード４７ｃ、第１循環制御モード４７ａ、及び、第２循環制御モード４７ｂ）が、図３に示した演算部４１によって実行される。図６は、循環制御ステップＳ１の処理手順の一例を示すフローチャートである。
【００８４】
本実施形態の循環制御ステップＳ１では、先ず、複数の空間３（本例では、１階の居室１０ａ、１０ｂ及び２階の居室１０ｃ、１０ｄ）の空気質を検出する検出ステップＳ１１と、全ての空間３の空気質が予め定められた基準（第１基準）を満足するか否かを判断するステップＳ１２とが実施される。検出ステップＳ１１及びステップＳ１２では、演算部４１（図３に示す）によって、空気質評価モード４７ｃ（図４に示す）が実行される。
【００８５】
本実施形態の検出ステップＳ１１では、図１及び図３に示されるように、演算部４１が、第１空気質検出手段１１ａ〜第４空気質検出手段１１ｄに信号を伝達して、複数の空間３（本例では、１階の居室１０ａ、１０ｂ及び２階の居室１０ｃ、１０ｄ）の空気質をそれぞれ検出させる。そして、検出した複数の空間３の空気質が、演算部４１に伝達される。これにより、検出ステップＳ１１では、複数の空間３の空気質を検出することができる。検出した複数の空間３の空気質は、作業用メモリ４３等に記憶される。
【００８６】
次に、ステップＳ１２では、空気質検出手段１１による検出結果に基づいて、全ての空間３（本例では、１階の居室１０ａ、１０ｂ及び２階の居室１０ｃ、１０ｄ）の空気質が第１基準を満足するか否かが判断される。なお、第１基準などステップＳ１２の具体的な評価手順については、上述の空気質評価モード４７ｃで説明したとおりである。
【００８７】
ステップＳ１２において、全ての空間３（本例では、１階の居室１０ａ、１０ｂ及び２階の居室１０ｃ、１０ｄ）の空気質が第１基準を満足すると判断された場合（ステップＳ１２において、「Ｙ」）、第１循環制御ステップＳ１３が実施される。一方、ステップＳ１２において、少なくとも１つの空間３の空気質が第１基準を満足しないと判断した場合（ステップＳ１２において、「Ｎ」）、第２循環制御ステップＳ１４が実施される。
【００８８】
次に、第１循環制御ステップＳ１３では、図１及び図２に示した空気調和機１６及びファン１５（本例では、第１ファン１５ａ及び第２ファン１５ｂ）を、予め定められた第１ルールで運転させる。本実施形態の第１循環制御ステップＳ１３では、演算部４１（図３に示す）によって、第１循環制御モード４７ａ（図４に示す）が実行される。図７は、第１循環制御ステップＳ１３の処理手順の一例を示すフローチャートである。
【００８９】
本実施形態の第１循環制御ステップＳ１３では、第１ルールに基づいて、空気調和機１６の空調作用を設定するステップＳ２１、及び、ファン１５（本例では、第１ファン１５ａ及び第２ファン１５ｂ）による空気の循環量を設定するステップＳ２２が実施される。さらに、本実施形態の第１循環制御ステップＳ１３では、ダンパー３５（本例では、第１ダンパー３５ａ〜第４ダンパー３５ｄ）の開度を設定するステップＳ２３が実施される。これらのステップＳ２１〜Ｓ２３は、同時に実施されてもよいし、個別に実施されてもよい。第１ルール、及び、ステップＳ２１〜Ｓ２３の具体的な処理手順については、上述の第１循環制御モード４７ａで説明したとおりである。
【００９０】
これにより、第１循環制御ステップＳ１３では、複数の空間３（本例では、１階の居室１０ａ、１０ｂ及び２階の居室１０ｃ、１０ｄ）の空調を、第１ルールに従って制御することができる。さらに、本実施形態の第１循環制御モード４７ａでは、ステップＳ２３において、ダンパー３５（本例では、第１ダンパー３５ａ〜第４ダンパー３５ｄ）の開度が制御されるため、各空間３に設定された空調の目標温度に基づいて、各空間３を個別に空調することができる。
【００９１】
次に、第２循環制御ステップＳ１４は、第１循環制御ステップＳ１３時に比して、空気調和機１６の空調作用を低下させ、かつ、ファン１５（本例では、第１ファン１５ａ及び第２ファン１５ｂ）による空気の循環量を増加させている。本実施形態の第２循環制御ステップＳ１４では、演算部４１（図３に示す）によって、第２循環制御モード４７ｂ（図４に示す）が実行される。図８は、第２循環制御ステップＳ１４の処理手順の一例を示すフローチャートである。
【００９２】
本実施形態の第２循環制御ステップＳ１４では、第２ルールに基づいて、空気調和機１６の空調作用を低下させるステップＳ３１、及び、ファン１５（本例では、第１ファン１５ａ及び第２ファン１５ｂ）による空気の循環量を増加させるステップＳ３２が実施される。さらに、本実施形態の第２循環制御ステップＳ１４では、ダンパー３５（本例では、第１ダンパー３５ａ〜第４ダンパー３５ｄ）の開度を大きく設定するステップＳ３３が実施される。これらのステップＳ３１〜Ｓ３３は、同時に実施されてもよいし、個別に実施されてもよい。第２ルール、及び、ステップＳ３１〜Ｓ３３の具体的な処理手順については、上述の第２循環制御モード４７ｂで説明したとおりである。これにより、第２循環制御ステップＳ１４では、第１循環制御ステップＳ１３時に比して、図２に示した複数の空間３を循環した後の空気Ａ２の温度と、空調空気との温度差を小さくして、空気調和機１６の空調作用を低下させることができる。さらに、第２循環制御ステップＳ１４では、ファン１５による空気の循環量を増加させることができる。なお、第２循環制御ステップでは、第１循環制御ステップ時に比して、前記温度差を小さくするために、複数の空間３ごとに設定された空調の目標温度の平均値を、空調温度に設定している。
【００９３】
これにより、第２循環制御ステップＳ１４では、空気の循環量を増加させることができるため、特定の空間３の空気質の劣化を、早期に良好な状態に戻すことができる。さらに、第２循環制御ステップＳ１４では、空気調和機１６の空調作用を低下させるため、空気の循環量が増加しても、空気調和機１６による過度の熱交換を抑制することができる。したがって、第２循環制御ステップＳ１４では、複数の空間３が過度に空調されるのを防ぐことができる。
【００９４】
本実施形態の第２循環制御ステップＳ１４では、複数の空間３（本例では、１階の居室１０ａ、１０ｂ及び２階の居室１０ｃ、１０ｄ）ごとに設定された空調の目標温度の平均値を、空調温度に設定している。このため、第２循環制御ステップＳ１４では、例えば、図２に示した空気調和機１６の吸込口１６ａから取り込まれる空気（複数の空間３を循環した後の空気Ａ２）の温度を、空調温度に設定する場合に比べて、温度差が過度に小さく（例えば、温度差をゼロに）なるのを防ぐことができる。これにより、第２循環制御ステップＳ１４では、各空間３の空調が不足するのを防ぐことができる。
【００９５】
第２循環制御ステップＳ１４（第２循環制御モード４７ｂ）では、空気調和機１６の風量も増加させてもよい。これにより、第２循環制御ステップＳ１４では、空気調和機１６の吸込口１６ａで取り込まれる空気の量、及び、吹出口１６ｂから吐出される空調空気Ａ１の量を増加させることができるため、空気の循環量を増加させることができる。なお、第２循環制御ステップＳ１４では、空気調和機１６の空調作用を低下させているため、空気調和機１６の風量を増加させても、空気調和機１６によって過度に熱交換されることはない。
【００９６】
第２循環制御ステップＳ１４（第２循環制御モード４７ｂ）では、劣化した空間３の空気質が、第１基準よりも厳しい第２基準（閾値）を満足するまで、継続して実行されてもよい。これにより、空気循環方法（空気循環システム）は、劣化した空間３の空気質をより良好な状態に戻すことができるため、循環制御ステップＳ１において、第１循環制御ステップＳ１３と、第２循環制御ステップＳ１４とが短時間で交互に実行されるのを防ぐことができる。なお、第２基準としては、適宜設定することができる。各空間３のＣＯ2濃度が検出される場合、ＣＯ2濃度の第２基準（閾値）としては、例えば、５００〜７００ppmの範囲（本例では、６００ppm）で設定される。なお、ＣＯ2濃度の第２基準（閾値）は、このような範囲に限定されるわけではなく、求められる空気質のレベルに応じて、適宜設定することができる。
【００９７】
第２循環制御ステップＳ１４（第２循環制御モード４７ｂ）では、外気供給ファン２４の風量を増加させずに運転を継続するのが望ましい。これにより、空気循環方法（空気循環システム）は、建物２に必要な換気回数を維持しつつ、床下空気（外気）Ａ３の供給増加による空間３の温度低下（夏季では、温度上昇）を防ぐことができる。
【００９８】
次に、図５に示されるように、本実施形態の空気循環方法では、空気循環システム１の停止命令があるか否かが判断される（ステップＳ２）。ステップＳ２では、演算部４１（図３に示す）によって、停止判定モード４７ｄ（図４に示す）が実行される。ステップＳ２の処理手順については、空気循環システム１の停止判定モード４７ｄで説明したとおりである。
【００９９】
ステップＳ２において、停止命令があると判断された場合（ステップＳ２において、「Ｙ」）、演算部４１（図３に示す）は、空気循環システム１を停止させ、空気循環方法の一連の処理を終了させる（ステップＳ３）。他方、ステップＳ２において、停止命令がないと判断された場合（ステップＳ２において、「Ｎ」）、循環制御ステップＳ１が再度実施される。これにより、本実施形態の空気循環方法では、停止命令がなされるまで、複数の空間３（本例では、１階の居室１０ａ、１０ｂ及び２階の居室１０ｃ、１０ｄ）の空気質を良好な状態に維持しつつ、複数の空間３が過度に空調されるのを防ぐことができる。
【０１００】
以上、本発明の特に好ましい実施形態について詳述したが、本発明は図示の実施形態に限定されることなく、種々の態様に変形して実施しうる。
【実施例】
【０１０１】
図１〜図４に示した空気循環システムを用いて、複数の空間の空気を循環させた（実施例）。実施例では、図５〜図８に示した処理手順に基づいて、複数の空間の空気質を検出する検出ステップ（空気質評価モード）、空気調和機及びファンを予め定められた第１ルールで運転させる第１循環制御ステップ（第１循環制御モード）、及び、第１循環制御ステップ時に比して、空気調和機の空調作用を低下させ、かつ、ファンによる空気の循環量を増加させる第２循環制御ステップ（第２循環制御モード）が実施された。実施例の仕様については、次のとおりである。
【０１０２】
空気質評価モード：
ＣＯ2濃度の第１基準：９００ppm
第１循環制御モード（第１ルール）：
空気調和機の空調温度：最高目標温度＋４℃（冬季）
空気の循環量（ファンの合計風量）：３００m3／ｈ
ダンパーの開度：空間に設定された空調の目標温度に基づいて個別に調節
第２循環制御モード（第２ルール）：
空気調和機の空調温度：複数の空間ごとに設定された空調の目標温度の平均値
空気の循環量（ファンの合計風量）：８６０m3／ｈ
ダンパーの開度：全開
ＣＯ2濃度の第２基準：６００ppm
外気供給ファンの風量：１７５m3／ｈ
寝室：８畳（在室者２名）
【０１０３】
図９は、実施例のＣＯ2濃度と時間との関係を示すグラフである。図９のグラフは、一つの空間（寝室）でのＣＯ2濃度と時間との関係を示している。テストの結果、実施例は、一つの空間（寝室）の空気質が基準を満足しない（ＣＯ2濃度が９００ppmよりも大きくなった）場合に、第２循環制御ステップ（第２循環制御モード）を実施することができた。これにより、実施例では、特定の空間の空気質の劣化を、早期に良好な状態に戻すことができた。
【０１０４】
また、実施例では、第１循環制御ステップ（第１循環制御モード）と、第２循環制御ステップ（第２循環制御モード）との室温の差は、±２℃であった。従って、実施例では、複数の空間の空気質を良好な状態に維持しつつ、複数の空間が過度に空調されるのを防ぐことができた。
【符号の説明】
【０１０５】
３      空間
１１      空気質検出手段
１２      空気循環手段
１３      制御手段
１５      ファン
１６      空気調和機
【図１】
2020051673.tif 000003
【図２】
2020051673.tif 000004
【図３】
2020051673.tif 000005
【図４】
2020051673.tif 000006
【図５】
2020051673.tif 000007
【図６】
2020051673.tif 000008
【図７】
2020051673.tif 000009
【図８】
2020051673.tif 000010
【図９】
2020051673.tif 000011